【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能なカートリッジの枠体であって、
ローラを回転可能に支持する内面と、前記内面とは反対側の外面と、前記外面から突出する第１係合部及び第２係合部と、を有する軸支部材と、
前記軸支部材が嵌る穴であって、前記外面が部分的に露出する切欠部を有する穴と、前記第１係合部及び前記第２係合部がそれぞれ係合する第１被係合部及び第２被係合部と、を有する支持部材と、
を備え、
前記第１被係合部及び前記第２被係合部は、前記ローラの軸線方向に見たときに、前記ローラの回転中心と前記切欠部の中央の両者と交差する仮想線を挟んで互いに反対側に配置されていることを特徴とする枠体。
【請求項２】
前記第１係合部は、
第１部分と、
前記第１部分よりも前記第１係合部が延びる方向において前記軸支部材の前記外面から離れた第２部分と、
を含み、
前記第２部分は、前記第１係合部が延びる方向と前記ローラの軸線方向の両者と直交する方向において、前記第１部分よりも広い幅を有していることを特徴とする請求項１に記載の枠体。
【請求項３】
前記第１係合部は、
前記ローラの径方向に延びる延出部と、
前記延出部から前記ローラの接線方向における一方の側に向かって突出する第１突出部と、
前記延出部から前記接線方向における他方の側に向かって突出する第２突出部と、
を含むことを特徴とする請求項１に記載の枠体。
【請求項４】
前記第２係合部は、
第３部分と、
前記第３部分よりも前記第２係合部が延びる方向において前記軸支部材の前記外面か
ら離れた第４部分と、
を含み、
前記第４部分は、前記第２係合部が延びる方向と前記ローラの軸線方向の両者と直交する方向において、前記第３部分よりも広い幅を有していることを特徴とする請求項２に記載の枠体。
【請求項５】
前記第２係合部は、
前記ローラの径方向に延びる第２延出部と、
前記第２延出部から前記ローラの接線方向における一方の側に向かって突出する第３突出部と、
前記第２延出部から前記接線方向における他方の側に向かって突出する第４突出部と、
を含むことを特徴とする請求項３に記載の枠体。
【請求項６】
前記ローラは、像担持体に形成された静電潜像を現像するための現像ローラであることを特徴とする請求項１〜５のいずれか１項に記載の枠体。
【請求項７】
請求項１〜６のいずれか１項に記載の枠体と、
前記ローラと、
静電潜像が形成される像担持体と、
を有し、
前記ローラは、現像ローラであり、
前記像担持体に形成された静電潜像が前記ローラによって現像されることで、前記像担持体に現像剤像が形成されることを特徴とするカートリッジ。
【請求項８】
前記軸支部材と前記支持部材は、射出成型によって一体化して形成されていることを特徴とする請求項１〜６のいずれか１項に記載の枠体。
【請求項９】
請求項１〜６のいずれか１項に記載の枠体と、
静電潜像が形成される像担持体と、
前記ローラと、
を有し、
前記ローラは、現像剤を担持するための現像剤担持体であり、
前記像担持体に形成された静電潜像が、前記ローラに担持された現像剤によって現像されることで、前記像担持体に現像剤像が形成され、
前記像担持体に形成された現像剤像が記録媒体に転写されることで、記録媒体に画像が形成されることを特徴とする画像形成装置。
【請求項１０】
画像形成装置の装置本体に着脱可能なカートリッジの枠体の製造方法であって、
前記枠体は、
ローラを回転可能に支持する内面と、前記内面とは反対側の外面と、前記外面から突出する第１係合部及び第２係合部と、を有する軸支部材と、
前記軸支部材が嵌る穴であって、前記外面が部分的に露出する切欠部を有する穴と、前記第１係合部及び前記第２係合部がそれぞれ係合する第１被係合部及び第２被係合部と、を有する支持部材と、
を備え、
前記第１被係合部及び前記第２被係合部は、前記ローラの軸線方向に見たときに、前記ローラの回転中心と前記切欠部の中央の両者と交差する仮想線を挟んで互いに反対側に配置されており、
前記製造方法は、
前記支持部材を用意する第１工程と、
前記支持部材に型を当接させ、前記支持部材と前記型との間に形成された空間に溶融樹脂を注入することで前記軸支部材を成形する第２工程と、
を有し、
前記第２工程において、前記軸支部材の前記外面が前記支持部材の前記切欠部から部分的に露出するように前記軸支部材を成形し、
前記第２工程において、前記軸支部材の前記外面から突出して前記第１被係合部に係合する第１係合部を、前記第１被係合部と前記型との間に形成された空間に注入された樹脂によって成形し、前記軸支部材の前記外面から突出して前記第２被係合部に係合する第２係合部を、前記第２被係合部と前記型との間に形成された空間に注入された樹脂によって成形することを特徴とする枠体の製造方法。
【請求項１１】
前記型は、第２の型であり、
前記支持部材を第１の型に当接させ、
前記第１の型に当接した前記支持部材に前記第２の型を当接させ、
前記支持部材と前記第１の型と前記第２の型との間に形成された空間に溶融樹脂を注入することで前記軸支部材を成形することを特徴とする請求項１０に記載の枠体の製造方法。
【請求項１２】
前記溶融樹脂は、第２の溶融樹脂であり、
第１の型と第２の型との間に第１の溶融樹脂を注入することで前記支持部材を成形し、
前記第２の型を前記第１の型から取り外し、
第３の型を、前記支持部材と前記第１の型とに当接させ、
前記支持部材と前記第１の型と前記第３の型との間に形成された空間に第２の溶融樹脂を注入することで前記軸支部材を成形することを特徴とする請求項１０に記載の枠体の製造方法。
【手続補正２】
【補正対象書類名】明細書
【補正対象項目名】００１２
【補正方法】変更
【補正の内容】
【００１２】
上記目的を達成するために、本発明である枠体は、
画像形成装置の装置本体に着脱可能なカートリッジの枠体であって、
ローラを回転可能に支持する内面と、前記内面とは反対側の外面と、前記外面から突出する第１係合部及び第２係合部と、を有する軸支部材と、
前記軸支部材が嵌る穴であって、前記外面が部分的に露出する切欠部を有する穴と、前記第１係合部及び前記第２係合部がそれぞれ係合する第１被係合部及び第２被係合部と、を有する支持部材と、
を備え、
前記第１被係合部及び前記第２被係合部は、前記ローラの軸線方向に見たときに、前記ローラの回転中心と前記切欠部の中央の両者と交差する仮想線を挟んで互いに反対側に配置されていることを特徴とする。
【手続補正３】
【補正対象書類名】明細書
【補正対象項目名】００１３
【補正方法】変更
【補正の内容】
【００１３】
また、上記目的を達成するために、本発明であるカートリッジは、
本発明の枠体と、
前記ローラと、
静電潜像が形成される像担持体と、
を有し、
前記ローラは、現像ローラであり、
前記像担持体に形成された静電潜像が前記ローラによって現像されることで、前記像担持体に現像剤像が形成されることを特徴とする。
【手続補正４】
【補正対象書類名】明細書
【補正対象項目名】００１４
【補正方法】変更
【補正の内容】
【００１４】
また、上記目的を達成するために、本発明である画像形成装置は、
本発明の枠体と、
静電潜像が形成される像担持体と、
前記ローラと、
を有し、
前記ローラは、現像剤を担持するための現像剤担持体であり、
前記像担持体に形成された静電潜像が、前記ローラに担持された現像剤によって現像されることで、前記像担持体に現像剤像が形成され、
前記像担持体に形成された現像剤像が記録媒体に転写されることで、記録媒体に画像が形成されることを特徴とする。
【手続補正５】
【補正対象書類名】明細書
【補正対象項目名】００１５
【補正方法】変更
【補正の内容】
【００１５】
また、上記目的を達成するために、本発明である製造方法は、
画像形成装置の装置本体に着脱可能なカートリッジの枠体の製造方法であって、
前記枠体は、
ローラを回転可能に支持する内面と、前記内面とは反対側の外面と、前記外面から突出する第１係合部及び第２係合部と、を有する軸支部材と、
前記軸支部材が嵌る穴であって、前記外面が部分的に露出する切欠部を有する穴と、前記第１係合部及び前記第２係合部がそれぞれ係合する第１被係合部及び第２被係合部と、を有する支持部材と、
を備え、
前記第１被係合部及び前記第２被係合部は、前記ローラの軸線方向に見たときに、前記ローラの回転中心と前記切欠部の中央の両者と交差する仮想線を挟んで互いに反対側に配置されており、
前記製造方法は、
前記支持部材を用意する第１工程と、
前記支持部材に型を当接させ、前記支持部材と前記型との間に形成された空間に溶融樹脂を注入することで前記軸支部材を成形する第２工程と、
を有し、
前記第２工程において、前記軸支部材の前記外面が前記支持部材の前記切欠部から部分的に露出するように前記軸支部材を成形し、
前記第２工程において、前記軸支部材の前記外面から突出して前記第１被係合部に係合する第１係合部を、前記第１被係合部と前記型との間に形成された空間に注入された樹脂によって成形し、前記軸支部材の前記外面から突出して前記第２被係合部に係合する第２係合部を、前記第２被係合部と前記型との間に形成された空間に注入された樹脂によって成形することを特徴とする。